(57)【特許請求の範囲】
【請求項１】
複数の端子を保持するハウジングと、このハウジングを前記端子と相手方コネクタの端子との嵌合方向にスライド可能に保持するホルダと、このホルダと前記ハウジングとの間に設けられ、前記ハウジングと相手方コネクタとの嵌合時に当該相手方コネクタと係合することにより、その嵌合操作に連動して前記ハウジングを前記ホルダに対して当該嵌合操作方向にスライドさせてその必要嵌合操作力を低減させる倍力機構とを備えた倍力機構付コネクタにおいて、
前記ホルダは、前記ハウジングの周囲を覆う枠状本体と、当該本体から相手方コネクタ側に向かって前記端子嵌合方向と平行な方向に延び、前記ハウジングと嵌合して当該ハウジングを前記端子嵌合方向にスライド可能に支持するスライド支持部とを有し、
このスライド支持部の内側に、前記ハウジングを前記相手方コネクタと嵌合を開始するための嵌合開始位置に係止し、かつ、当該嵌合の開始時に前記ハウジングを解放するロック部が設けられており、
前記スライド支持部は外壁及び上下壁からなるコ字状断面を有するとともに、その前端面から後方に向かって切り込むスリットが形成されており、
このスライド支持部の内側に前記ハウジングの外側部が嵌合されることで当該ハウジングがスライド可能に支持されるとともに、
前記スリットよりも内側の部分が外向きに撓み変形可能な撓み片となっており、この撓み片の前端部に前記ロック部が形成され、かつ、当該撓み片の撓み変形により前記ロック部によるハウジングの係止が解除されるように構成されていることを特徴とする倍力機構付コネクタ。
【請求項２】
請求項１記載の倍力機構付コネクタにおいて、前記撓み片において前記ロック部から外れた位置に被操作突起が形成され、相手方コネクタとの嵌合時に当該相手方コネクタに設けられた操作部によって前記被操作突起が外向きに押圧操作されることにより当該外向きに前記撓み片が撓み変形することを特徴とする倍力機構付コネクタ。
【請求項３】
請求項１または２に記載の倍力機構付コネクタにおいて、前記ハウジングは一方向に延びる断面形状を有し、その長手方向両外側に前記スライド支持部が設けられていることを特徴とする電気接続装置。
【請求項４】
請求項３記載の倍力機構付コネクタにおいて、前記スライド支持部同士の間に複数の倍力機構が並設されるとともに、これらの倍力機構が前記ハウジングの一方の側に偏在していることを特徴とする電気接続装置。
【請求項５】
請求項４記載の倍力機構付コネクタにおいて、前記倍力機構が前記ハウジングの長手方向について対称に設けられていることを特徴とする電気接続装置。
【請求項６】
請求項１〜５のいずれかに記載の倍力機構付コネクタと、その相手方コネクタとからなり、当該相手方コネクタは、前記倍力機構付コネクタの各端子と嵌合する複数の端子と、これらの端子を保持するハウジングとを備え、このハウジングに、前記倍力機構と係合する相手方係合部と、前記倍力機構付コネクタとの嵌合時にそのロック部によるハウジングの保持を解除させる解除操作部とが設けられていることを特徴とする電気接続装置。
【発明の詳細な説明】
【０００１】
【発明の属する技術分野】
本発明は、相手方コネクタとの嵌合に必要な操作力を低減する機能をもつ倍力機構付コネクタ及び同コネクタを備えた電気接続装置に関するものである。
【０００２】
【従来の技術】
従来、相手方コネクタとの嵌合に必要な操作力を低減させる機能をもったコネクタとして、例えば特開平１１−４０２５０号公報に示されるものが知られている。
【０００３】
このコネクタは、端子を保持するハウジングと、これをスライド可能に支持するホルダ（支持部材）とを備え、これらハウジングとホルダとの間に揺動レバー等からなるカム機構（倍力機構）が介在している。そして、前記揺動レバーが相手方コネクタの被駆動ピンに係合した状態で前記ハウジングとホルダとが相対的にスライド運動することにより、そのスライド力が前記揺動レバーの倍力作用によって当該スライド力よりも大きなコネクタ同士の嵌合力に変換されるようになっている。
【０００４】
ところで、この種のコネクタでは、当該コネクタと相手方コネクタとを結合する前の段階で前記ホルダに対するハウジングの相対位置を所定位置（嵌合開始位置）に保持しておく必要がある。その手段として、前記公報には、前記ホルダから相手方コネクタに向けて撓み可能な可動アームを延ばす一方、前記ハウジングに形成されたフードの内側面に内方に突出する突片を形成しておき、この突片に前記可動アームの先端部が当たることによりハウジングとホルダとの相対位置が所定の初期位置に固定されるようにし（ハウジングのロック）、かつ、この状態で前記ハウジングに相手方コネクタのハウジングが嵌合される際にこの相手方コネクタのハウジングの先端部が前記可動アームの先端部を内側から押し開いて前記ロックを強制的に解除するようにした構成が開示されている。
【０００５】
【発明が解決しようとする課題】
前記公報に示されるコネクタにおいて、十分な倍力作用（嵌合操作力低減作用）を得るためには、ホルダに対するハウジングのスライドストロークをある程度大きく確保する必要がある（仕事の原理）。
【０００６】
しかし、前記公報にかかるコネクタでは、仮係止用の可動アームがホルダから外部に露出した状態でハウジング側に延びる形状となっているため、前記スライドストロークの増大に伴って前記可動アームを大きく延ばすと、当該可動アームが折損しやすく、また少しの外力を受けただけでもロックが不用意に解除してしまうおそれがある。
【０００７】
さらに、前記スライドストロークが大きいほど、ハウジングをホルダ側に安定して保持することが難しくなり、特にハウジングがホルダから大きく飛び出した嵌合開始位置でハウジングが傾きやすく、その後のハウジングの円滑なスライドが阻害されるおそれもある。
【０００８】
本発明は、このような事情に鑑み、嵌合操作力を有効に低減させるためのハウジングのスライドストロークを十分に確保しながら、当該ハウジングを安定した状態でホルダ側に支持し、かつ、嵌合開始位置に確実にロックすることができる倍力機構付コネクタ及び同コネクタを備えた電気接続装置を提供することを目的とする。
【０００９】
【課題を解決するための手段】
前記課題を解決するための手段として、本発明は、複数の端子を保持するハウジングと、このハウジングを前記端子と相手方コネクタの端子との嵌合方向にスライド可能に保持するホルダと、このホルダと前記ハウジングとの間に設けられ、前記ハウジングと相手方コネクタとの嵌合時に当該相手方コネクタと係合することにより、その嵌合操作に連動して前記ハウジングを前記ホルダに対して当該嵌合操作方向にスライドさせてその必要嵌合操作力を低減させる倍力機構とを備えた倍力機構付コネクタにおいて、前記ホルダは、前記ハウジングの周囲を覆う枠状本体と、当該本体から相手方コネクタ側に向かって前記端子嵌合方向と平行な方向に延び、前記ハウジングと嵌合して当該ハウジングを前記端子嵌合方向にスライド可能に支持するスライド支持部とを有し、このスライド支持部の内側に、前記ハウジングを前記相手方コネクタと嵌合を開始するための嵌合開始位置に係止し、かつ、当該嵌合の開始時に前記ハウジングを解放するロック部が設けられており、前記スライド支持部は外壁及び上下壁からなるコ字状断面を有するとともに、その前端面から後方に向かって切り込むスリットが形成されており、このスライド支持部の内側に前記ハウジングの外側部が嵌合されることで当該ハウジングがスライド可能に支持されるとともに、前記スリットよりも内側の部分が外向きに撓み変形可能な撓み片となっており、この撓み片の前端部に前記ロック部が形成され、かつ、当該撓み片の撓み変形により前記ロック部によるハウジングの係止が解除されるように構成されているものである。
【００１０】
また本発明は、前記倍力機構付コネクタと、その相手方コネクタとからなり、当該相手方コネクタは、前記倍力機構付コネクタの各端子と嵌合する複数種の端子と、これらの端子を保持するハウジングとを備え、このハウジングに、前記倍力機構と係合する相手方係合部と、前記倍力機構付コネクタとの嵌合時にそのロック部によるハウジングの保持を解除させる解除操作部とが設けられている電気接続装置である。
【００１１】
これらの構成においては、ホルダに端子嵌合方向と平行な方向に延びるスライド支持部が設けられ、このスライド支持部にハウジングが嵌合された状態で当該ハウジングが前記方向にスライド可能に支持されているので、ホルダ全体は大型化させることなく、ハウジングを安定した状態でスライド可能に支持することができる。そして、このスライド支持部の内側に、前記ハウジングを嵌合開始位置にロックするためのロック部が設けられているので、この係止部を前記スライド支持部の外側部分によって外力から有効に保護することができる。
【００１２】
また、前記スライド支持部が外壁及び上下壁からなるコ字状断面を有しているので、その支持剛性を高めることができるとともに、このスライド支持部の内側に前記ハウジングの外側部が嵌合されているので、ハウジングの外側を安定した状態で嵌合することができ、ひいてはハウジングの安定したスライド動作を実現することができる。
【００１３】
また、前記スライド支持部にその前端面から後方に向かって切り込むスリットが形成され、このスリットよりも内側の部分が外向きに撓み変形可能な撓み片となっており、この撓み片の前端部に前記嵌合開始位置にあるハウジングと係合するロック用係合部が形成され、かつ、当該撓み片の撓み変形により前記ハウジングとロック用係合部との係合が外れるように構成されているので、スライド支持部の前側にスリットを形成するだけの簡単な構造で、部品点数を増やすことなく、ハウジングを係止する状態と解除する状態とに切換可能なロック部をスライド支持部の内側に設けることができる。
【００１４】
そして、前記撓み片において前記ロック部から外れた位置に被操作突起が形成され、相手方コネクタとの嵌合時に当該相手方コネクタに設けられた操作部によって前記被操作突起が外向きに押圧操作されることにより当該外向きに前記撓み片が撓み変形するような構成とすることにより、相手方コネクタとの嵌合時に自動的にハウジングのロックを解除する機能をロック部に持たせることができる。
【００１５】
前記ハウジングが一方向に延びる断面形状を有するものにおいては、その長手方向両外側に前記スライド支持部が設けられている構成とすることが好ましい。この構成によれば、両スライド支持部によってハウジングを効率良く安定した状態で支持することができる。
【００１６】
このように、両スライド支持部によってハウジングをスライド支持することにより、偏荷重に対して強い構造とすることができるので、例えば前記スライド支持部同士の間に並ぶ複数の倍力機構をハウジングに対して片方の側に偏在させても、これらの倍力機構から与えられる偏荷重に起因してハウジングの円滑なスライドが妨げられるのを防ぐことができる。そして、このように複数の倍力機構を前記ハウジングの一方の側に偏在させることにより、これら倍力機構を設けるためにハウジングとホルダとの間に確保しなければならない隙間がハウジングの片側のみで足りることとなり、複数の倍力機構をハウジングの両側に分散配置する場合に比べてコネクタ全体をより小型化することが可能となる。
【００１７】
さらに、前記倍力機構が前記ハウジングの長手方向について対称に設けられた構成とすれば、ハウジング長手方向についての偏荷重を抑え、より円滑なハウジングのスライドを確保することができる。
【００１８】
【発明の実施の形態】
本発明の好ましい実施の形態を図面に基づいて説明する。
【００１９】
図１は、本発明にかかる倍力機構付コネクタＣ１（以下、単に「コネクタＣ１」と称する。）と、その相手方コネクタＣ２とを示したものである。
【００２０】
相手方コネクタＣ２は、前後に延びる多数本の雄端子４０と、これら雄端子４０を保持する樹脂製のハウジング４１とを備え、このハウジング４１には前記各端子４０を外側から包囲するフード４２が形成されている。さらに、このフード４２の上下両外側面には、カム用ピン４４が突設されるとともに、このカム用ピン４４を外側から覆うカム板カバー４３が形成されている。各カム板カバー４３は、偏平状で、コネクタＣ１側に大きく開口している。
【００２１】
一方、コネクタＣ１は、ハウジング１０と、上下一対のカム板（回動部材）２０と、ホルダ３０とを備えている。
【００２２】
ハウジング１０は、全体が例えば樹脂のように弾性をもつ絶縁材料で一体に形成されたものであり、具体的には、複数のハウジングブロック１１Ａ，１１Ｂ，１１Ｃ，１１Ｄ，１１Ｅ，１１Ｆが横方向（左右方向）に一体に連設されることによりハウジング１０全体が同方向に延びる断面形状を有しており、かつ、その後方に共通の枠部１４が形成されている。また、各ハウジングブロック１１Ａ〜１１Ｆには前記雄端子１１と嵌合可能な多数の雌端子１２が保持されている。
【００２３】
この実施の形態では、図６（ｂ）及び図７（ｂ）に示すように、前記雄端子４０として長短２種類の雄端子４０Ａ，４０Ｂが具備され、これに対応して雌端子１２も大型雌端子１２Ａ及び小型雌端子１２Ｂの２種類が具備されている。そして、図６（ｂ）に示すようにまず雄端子４０Ａと雌端子１２Ａとの嵌合が開始されてから、遅れて図７（ｂ）に示すように雄端子４０Ｂと雌端子１２Ｂとの嵌合が開始されるように、各端子の嵌合タイミングが設定されている。
【００２４】
各カム板２０は、薄板状で、前記枠部１４の上下面に回動可能に取付けられており、その一端側（相手方コネクタＣ２側）にカム溝２４を有し、他端側に外向きに突出するカム用突起（突出部）２２を有している。
【００２５】
カム溝２４は、カム板２０の内側面に有底状に形成され、かつ、なだらかな曲線状をなしており、その端部は相手方コネクタＣ２側に向かって開口するピン入口２４ａとされている。そして、このピン入口２４ａから前記カム溝２４内に前記相手方コネクタＣ２のカム用ピン４４が侵入しながら相手方コネクタＣ２とハウジング１０及び端子１２との嵌合が進められることにより、その嵌合操作に伴ってカム板２０が回動するように、前記カム溝２４の形状が設定されている。
【００２６】
また、その際、相手方コネクタＣ２のカム板カバー４３内に前記カム板２０が板厚方向にほぼ隙間なく挿入されるように、当該カム板カバー４３の開口幅が設定されている（図５参照）。
【００２７】
ホルダ３０は、前記ハウジング１０と同様、全体が例えば樹脂のように弾性をもつ絶縁材料で一体に形成されたもので、前記ハウジング１０の周囲を覆う枠状本体３１を有し、この枠状本体３１の内側に前記ハウジング１０が相手方コネクタＣ２との結合方向と平行な方向にスライド可能に保持されている。
【００２８】
具体的に、前記枠状本体３１の左右両側部には、前方（相手方コネクタＣ２側）に向けて端子嵌合方向と平行に延びる一対のスライド支持部３２が設けられ、これらスライド支持部３２の内側面とハウジング１０の左右両外側面とが嵌合することにより、ハウジング１０がスライド可能に支持されている。すなわち、ハウジング１０の左右方向（長手方向）の両外側に、これをスライド支持するためのスライド支持部３２が設けられている。
【００２９】
これらのスライド支持部３２は、図２（ａ）及び図３（ａ）（ｂ）に示すように、水平方向の上壁３２ａ及び下壁３２ｂと両壁３２ａ，３２ｂをつなぐ垂直方向の外壁３２ｃとからなるコ字状断面を有し、その上下内壁３２ａ，３２ｂに前後方向に延びる案内溝３７が形成されている。一方、ハウジング１０の左右両外側部には前記スライド支持部３２の内側に嵌合される嵌合部１３が外向きに突設されるとともに、この嵌合部１３に上下に突出する突条１５が形成され、これらの突条１５が前記案内溝３７に嵌合されている。
【００３０】
さらに、図２（ｂ）及び図８（ａ）〜（ｃ）に示すように、前記枠状本体３１の左右両側壁の前端部には、その前面から後方に向かって切り込むスリット３３が形成され、このスリット３３よりも内側の部分が外側方向に撓み変形可能な撓み片３４とされている。
【００３１】
この撓み片３４の前端内側面において、その上下方向中央部には、内側に突出する被操作突起３４ａが形成され、この被操作突起３４ａの上下の位置であって当該被操作突起３４ａよりも若干後方の位置にロック用突起（ロック用係合部）３４ｂが形成されている。
【００３２】
一方、ハウジング１０の左右両外側面前端部には、前記ロック用突起３４ｂが後方から当接可能な被保持突起１６が形成され、その当接（係止）によってハウジング１０が最前端位置（相手方コネクタＣ２との嵌合を開始する位置）にロックされるようになっている。また、図８（ａ）（ｂ）に示すように、相手方コネクタＣ２のフード４１の内側には、前方に延びる操作壁（解除操作部）４５が形成され、コネクタ嵌合開始時にこの操作壁４５が前記被操作突起３４ａを内側から押圧操作し、これによって撓み片３４が外側に撓んで当該撓み片３４のロック用突起３４ａとハウジング１０の被保持突起１６との係合が外れる（ロックが解除される）ようになっている。
【００３３】
なお、前記枠状本体３１の周囲には耳部３５が形成され、この耳部３５の左右両端部に、図略のパネル等に設けられた取付孔に嵌合、固定される取付部３６が形成されている。
【００３４】
一方、このホルダ３０の上下両壁には、これを貫通するカム溝３８が形成され、このカム溝３８に前記カム板２０のカム用突起２２が嵌まり込んだ状態で当該カム板２０が回動するようになっている。
【００３５】
この実施の形態において、前記カム溝３８は、その前側（相手方コネクタＣ２に近い側；図４では右側）から順に、第１溝部３８ａ、第２溝部３８ｂ、及び第３溝部３８ｃを連続して有している。
【００３６】
第１溝部３８ａ及び第２溝部３８ｂは、端子嵌合方向と平行な方向（図４では左右方向）の第１方向成分と、当該方向に直交する方向の第２方向成分とが合成された方向に傾斜しており、第１溝部３８ａよりも第２溝部３８ｂの方が前記第１方向成分が大きくなっている（図では略４５°に傾斜）。また、第３溝部３８ｃはほとんど第１方向成分を有しておらず、ほぼ第２方向成分のみとなっている。そして、このカム溝３８と前記カム用突起２２との関係は、次の作用が得られるように設定されている。
【００３７】
まず、コネクタＣ１，Ｃ２同士を嵌合する前の状態では、ホルダ３０に対してハウジング１０を最前端位置（嵌合開始位置）に位置させておく。このとき、カム板２０のカム用突起２２はカム溝３８における第１溝部３８ａ内に位置しており、かつ、図８（ａ）に示すようにスライド支持部３２のロック用突起３４ｂがハウジング１０の被保持突起１６に対して後方から当たることにより、ハウジング１０が前記最前端位置にロックされる。
【００３８】
この状態から、コネクタＣ１，Ｃ２同士の嵌合を始めると、その嵌合当初は、まず、図８（ｂ）に示すようにコネクタＣ２のフード４２の外側面に形成された操作壁４５が撓み片３４の被押圧突起３４ａを内側から外側に向けて押圧し、当該撓み片３４を外向きに撓み変形させるため、この撓み片３４に形成されたロック用突起３４ｂがハウジング１０の被保持突起１６から外側へ自動的に外れる。すなわちロックが解除され、ホルダ３０内でのハウジング１０の後退（後方へのスライド）が許容される状態になる。
【００３９】
一方、カム板２０においては、コネクタＣ２に設けられたカム用ピン４４が前記カム板２０のカム溝２４内にピン入口２４ａから侵入し、コネクタＣ１，Ｃ２の嵌合の進行に伴ってカム板２０を回動させる。そして、このカム板２０に形成されたカム用突起２４がホルダ３０のカム溝３８における第１溝部３８ａに案内されるため（図６（ａ））、前記カム板２０の回動に伴ってハウジング１０がホルダ３０に対して後方にスライド移動をする。この後方スライドが倍力作用を発生させ、コネクタ嵌合に必要な操作力を低減させる。
【００４０】
コネクタＣ１，Ｃ２の嵌合は、まず図６（ｂ）に示すような雄端子４０Ａと雌端子１２Ａとの嵌合から始まる。次に、図７（ｂ）に示すような雄端子４０Ｂと雌端子１２Ｂとの嵌合も始まり、この時点では同図（ａ）に示すようにカム板２０のカム用突起２４がカム溝３８の第２溝部３８ｂ内まで移行している。そして、カム用突起２４が第３溝部３８ｃ内に侵入するようにしてコネクタ同士の嵌合が終了する。
【００４１】
以上のコネクタＣ１，Ｃ２によれば、ホルダ３０の枠状本体３１から前方へ向けて端子嵌合方向と平行にスライド支持部３２が延び、このスライド支持部３２とハウジング１０との嵌合によってハウジング１０が前記端子嵌合方向にスライド可能に支持されるので、ホルダ３０全体を大きくすることなく、ハウジング１０を安定して支持することができる。そして、このスライド支持部３２の内側に被操作突起３４ａ及びロック用突起３４ｂをもつ撓み片３４を形成して、ハウジング１０を嵌合開始位置にロックするロック部を構築しているので、当該ロック部を外部に露出させることなく、前記スライド支持部３２の外側部分によって有効に保護することができる。
【００４２】
従って、このコネクタＣ１，Ｃ２によれば、必要嵌合操作力の低減のために十分なハウジング１０のスライドストロークを確保しながら、ハウジング１０の安定した支持と、嵌合開始位置への確実なロックとを実現することができる。
【００４３】
なお、前記カム板２０等からなる倍力機構を複数設ける場合、その具体的な配置は種々設定が可能である。例えば、図９に示すように左右のスライド支持部３２の間においてハウジング１０の上下両側に倍力機構を分散配置すれば、これらの倍力機構からハウジング１０に作用する荷重を均等化することが可能になる。
【００４４】
しかし、本発明では、前記スライド支持部３２によるハウジング１０の支持により、偏荷重に強い構造とすることができるので、図１０及び図１１に示すように左右方向（ハウジング長手方向）に並ぶ倍力機構（カム板２０等）をハウジング１０の一方の側（図では上側）に偏在させても、円滑なハウジング１０のスライド動作を確保することが可能である。そして、このように全ての倍力機構をハウジング１０の片側に偏在させることにより、当該倍力機構を設けるためのハウジング１０とホルダ３０との間の隙間ｄ（図１１）をハウジング１０の片側のみに配すればよいこととなり、前記図９に示すようにハウジング１０の上下両側に倍力機構配設用の隙間ｄを設けなければならない構造に比べ、コネクタ全体をより小型化することが可能となる。
【００４５】
さらに、図１０に示すように一対の倍力機構を左右対称に配置すれば、左右方向についての偏荷重を解消することができ、より円滑なハウジング１０のスライド動作を確保することが可能となる。
【００４６】
その他、本発明は例として次のような実施の形態をとることも可能である。
【００４７】
本発明では、倍力機構の具体的な構造を問わず、例えば前記特開平１１−４０２５０号公報に示されたものをそのまま適用するようにしてもよい。要は、ホルダに対するハウジングの端子嵌合方向へのスライドを利用して必要嵌合操作力を低減できるものであればよい。
【００５０】
【発明の効果】
以上のように本発明は、ホルダに対してハウジングが端子嵌合方向と平行にスライドする倍力機構付コネクタにおいて、前記ホルダに端子嵌合方向と平行に延びるスライド支持部を設け、このスライド支持部により前記ハウジングをスライド可能に支持するとともに、このスライド支持部の内側に前記ハウジングを嵌合開始位置にロックするロック部を設けたものであるので、嵌合操作力を有効に低減させるためのハウジングのスライドストロークを十分に確保しながら、当該ハウジングを安定した状態で保持し、かつ、嵌合開始位置に確実にロックすることができる効果がある。また、前記スライド支持部をコ字状断面とすることで、支持剛性を高め、その内側にハウジングの外側を安定した状態で嵌合することができるので、ハウジングの安定したスライド動作を実現することができるという効果がある。さらに、本発明では、スライド支持部にその前端面から後方に向かって切り込むスリットを形成し、このスリットよりも内側の部分を外向きに撓み変形可能な撓み片とし、この撓み片の前端部にロック部を形成するという簡単な構造で部品点数を増やすことなく、ロック部をスライド支持部の内側に設けることができるという効果がある。
【図面の簡単な説明】
【図１】本発明の実施の形態にかかる倍力機構付コネクタ及びその相手方コネクタを示す斜視図である。
【図２】（ａ）は前記倍力機構付コネクタの側部を示す正面図、（ｂ）は（ａ）のＣ−Ｃ線断面図である。
【図３】（ａ）は図２（ｂ）のＡ−Ａ線断面を含む一部断面正面図、（ｂ）は図２（ｂ）のＢ−Ｂ線断面を含む一部断面正面図である。
【図４】前記倍力機構付コネクタにおけるカム板近傍部分の平面図である。
【図５】図４のＤ−Ｄ線断面図である。
【図６】（ａ）は最初の端子嵌合が開始された段階でのカム板の位置を示す一部断面平面図、（ｂ）は当該端子嵌合の様子を示す断面側面図である。
【図７】（ａ）は２番目の端子嵌合が開始された段階でのカム板の位置を示す一部断面平面図、（ｂ）は当該端子嵌合の様子を示す断面側面図である。
【図８】（ａ）〜（ｃ）はコネクタ嵌合操作時におけるロック部とその操作部との関係を示す断面平面図である。
【図９】前記倍力機構付コネクタにおける倍力機構がハウジングの上下両側に分散配置された例を示す正面図である。
【図１０】前記倍力機構付コネクタにおける倍力機構がハウジングの上側に偏って設けられた例を示す平面図である。
【図１１】図１０にかかる倍力機構付コネクタの正面図である。
【符号の説明】
Ｃ１  倍力機構付コネクタ
Ｃ２  相手方コネクタ
１０  ハウジング
１２  雌端子
１６  被保持突起
２０  カム板（倍力機構の構成要素）
２２  カム用突起
２４  カム溝（相手方コネクタとの係合部）
３０  ホルダ
３２  スライド支持部
３３  スリット
３４  撓み片
３４ａ  被操作突起
３４ｂ  ロック用突起
４０  雄端子
４１  ハウジング
４４  カム用ピン（相手方係合部）
４５  操作壁（解除操作部）
【図１】
0003875034.tif 000002
【図２】
0003875034.tif 000003
【図３】
0003875034.tif 000004
【図４】
0003875034.tif 000005
【図５】
0003875034.tif 000006
【図６】
0003875034.tif 000007
【図７】
0003875034.tif 000008
【図８】
0003875034.tif 000009
【図９】
0003875034.tif 000010
【図１０】
0003875034.tif 000011
【図１１】
0003875034.tif 000012